(57)【要約】【課題】壁面に対してハンディクリーナを安定した状態で立て掛けておくことができるようにすること。【解決手段】ハンディクリーナは、接続管４２と、接続管４２に接続されたヘッドハウジング４４とを有するノズルヘッド４０を備えている。このハンディクリーナ用の補助具２は、接続管４２に対して装着可能なノズルバンド５０と、ノズルバンド５０を接続管４２に対して装着した状態でハンディクリーナを壁面に立て掛けたとき、先端がヘッドハウジング４４の接地部４４ａを床面Ｆに対して浮かした第１の状態と、床面Ｆに対する接地部４４ａの浮かしを解消した第２の状態とに切り替え可能にノズルバンド５０に対して結合されたスタンドプレート７０とから構成されている。【選択図】図１１
2018102846.tif 000002
【特許請求の範囲】
【請求項１】
接続管と、前記接続管に接続されたヘッドハウジングと、を有するノズルヘッドを備えたハンディクリーナ用の補助具であって、
前記接続管に対して装着可能なノズルバンドと、
前記ノズルバンドを前記接続管に対して装着した状態で前記ハンディクリーナを壁面に立て掛けたとき、先端が前記ヘッドハウジングの接地部を床面に対して浮かした第１の状態と、前記床面に対する前記接地部の浮かしを解消した第２の状態と、に切り替え可能に前記ノズルバンドに対して結合されたスタンドプレートと、
から構成されているハンディクリーナ用の補助具。
【請求項２】
請求項１に記載のハンディクリーナ用の補助具であって、
常時、前記スタンドプレートは、前記第２の状態に切り替わるように付勢されているハンディクリーナ用の補助具。
【請求項３】
請求項１〜２のいずれかに記載のハンディクリーナ用の補助具であって、
前記ノズルバンドまたは前記スタンドプレートには、前記スタンドプレートを前記第１の状態および／または前記第２の状態に保持するロック爪が形成されているハンディクリーナ用の補助具。
【請求項４】
請求項１〜３のいずれかに記載のハンディクリーナ用の補助具であって、
前記スタンドプレートの先端には、前記スタンドプレートが側面視において略Ｌ字状を成すように突出片が形成されているハンディクリーナ用の補助具。
【請求項５】
請求項１〜４のいずれかに記載のハンディクリーナ用の補助具であって、
前記突出片の外面には、前記床面に対する摩擦力を向上させる滑り止め材が施されているハンディクリーナ用の補助具。
【請求項６】
請求項１〜５のいずれかに記載のハンディクリーナ用の補助具であって、
前記結合は、ヒンジを介した結合となっているハンディクリーナ用の補助具。
【請求項７】
請求項６に記載のハンディクリーナ用の補助具であって、
前記ヒンジの軸の両端には、前記第２の状態に切り替えた前記スタンドプレートの縁が前記床面に対して干渉することを防止するローラが組み付けられているハンディクリーナ用の補助具。
【請求項８】
請求項１〜７のいずれかに記載のハンディクリーナ用の補助具を有するハンディクリーナであって、
前記ハンディクリーナのハンディクリーナ本体には、バッテリ取付部が設けられており  、前記バッテリ取付部には、充電可能なバッテリパックが、着脱可能に取り付けられて  いるハンディクリーナ。
【請求項９】
接続管と、前記接続管に接続されたヘッドハウジングと、を有するノズルヘッドを備えたハンディクリーナであって、
前記接続管には、前記ハンディクリーナ自身を壁面に立て掛けたとき、先端が前記ヘッドハウジングの接地部を床面に対して浮かした第１の状態と、前記床面に対する前記接地部の浮かしを解消した第２の状態と、に切り替え可能に結合されたスタンドプレートを備えているハンディクリーナ。
【請求項１０】
請求項９に記載のハンディクリーナ用の補助具であって、
常時、前記スタンドプレートは、前記第２の状態に切り替わるように付勢されているハンディクリーナ。
【請求項１１】
請求項９〜１０のいずれかに記載のハンディクリーナであって、
前記接続管または前記スタンドプレートには、前記スタンドプレートを前記第１の状態および／または前記第２の状態に保持するロック爪が形成されているハンディクリーナ。
【請求項１２】
請求項９〜１１のいずれかに記載のハンディクリーナであって、
前記スタンドプレートの先端には、前記スタンドプレートが側面視において略Ｌ字状を成すように突出片が形成されているハンディクリーナ。
【請求項１３】
請求項９〜１２のいずれかに記載のハンディクリーナであって、
前記突出片の外面には、前記床面に対する摩擦力を向上させる滑り止め材が施されているハンディクリーナ。
【請求項１４】
請求項９〜１３のいずれかに記載のハンディクリーナであって、
前記結合は、ヒンジを介した結合となっているハンディクリーナ。
【請求項１５】
請求項１４に記載のハンディクリーナであって、
前記ヒンジの軸の両端には、前記第２の状態に切り替えた前記スタンドプレートの縁が前記床面に対して干渉することを防止するローラが組み付けられているハンディクリーナ。
【請求項１６】
請求項９〜１５のいずれかに記載のハンディクリーナであって、
ハンディクリーナ本体には、バッテリ取付部が設けられており、
前記バッテリ取付部には、充電可能なバッテリパックが、着脱可能に取り付けられてい  るハンディクリーナ。
【発明の詳細な説明】
【技術分野】
【０００１】
この発明は、充電可能なバッテリパックを電源とするハンディクリーナ用の補助具およびハンディクリーナに関する。
【背景技術】
【０００２】
例えば、家庭用の掃除機には、電動モータを駆動源として回転する吸塵ファンを内装し、左右にキャスタ（車輪）を備えた本体部と、使用者が移動操作するノズルヘッドとをフレキシブルな吸塵ホースで接続した形態（本体分離型）のものが主として用いられている。このような本体分離型の掃除機に加えて、本体部とノズルヘッドとが一体として取り扱われる比較的小型軽量でハンディクリーナと称されるノズル一体型の掃除機も広く普及している。
【０００３】
前者の本体分離型の掃除機に関する従来の技術は、下記の特許文献１に開示されている。一方、後者のノズル一体型のハンディクリーナに関する従来の技術は、特許文献２に開示されている。この特許文献２から明らかなように、後者のハンディクリーナは、ハンディクリーナ本体（本体部）に使用者が把持するハンドルを備えている。このハンディクリーナの場合、ハンディクリーナ本体の前部に設けた接続口に延長パイプを接続し、この延長パイプの先端に専用のノズルヘッドを取り付けて用いる場合のほか、延長パイプとノズルヘッドとをハンディクリーナ本体の接続口から取り外して接続口を掃除する部位に向けて直接粉塵等を吸塵する形態でも用いることができる。なお、後者のタイプのハンディクリーナにおいて、スタンドによって自立させる技術が、下記の特許文献３〜４に開示されている。
【先行技術文献】
【特許文献】
【０００４】
【特許文献１】特開２００３−１１１６９５号公報
【特許文献２】特開２０１４−３６７５０号公報
【特許文献３】特許第４８５２７６９号公報
【特許文献４】特開平２−１７２４２７号公報
【発明の概要】
【発明が解決しようとする課題】
【０００５】
しかしながら、上述した特許文献３〜４のタイプのハンディクリーナでは、例えば、図１５に示すように、ノズルヘッド１４０に対してハンディクリーナ本体１１０が大きく重いものとなっていた。そのため、このハンディクリーナ１０１を壁面ｗに立て掛けて保管する場合、この立て掛けた保管状態のハンディクリーナ１０１の重心が上寄りになっていた（図１６参照）。したがって、この立て掛けたハンディクリーナ１０１のノズルヘッド１４０が床面ｆを滑る恐れがあるため、不安定な状態での立て掛けになっていた。
【０００６】
本発明は、このような課題を解決するもので、その目的は、壁面に対してハンディクリーナを安定した状態で立て掛けておくことができるようにすることである。
【課題を解決するための手段】
【０００７】
上記の課題は、以下の各発明により解決される。第１の発明は、接続管と、接続管に接続されたヘッドハウジングとを有するノズルヘッドを備えたハンディクリーナ用の補助具である。このハンディクリーナ用の補助具は、接続管に対して装着可能なノズルバンドと、ノズルバンドを接続管に対して装着した状態でハンディクリーナを壁面に立て掛けたとき、先端がヘッドハウジングの接地部を床面に対して浮かした第１の状態と、床面に対する接地部の浮かしを解消した第２の状態と、に切り替え可能にノズルバンドに対してヒンジ結合されたスタンドプレートとから構成されている。
【０００８】
第１の発明によれば、補助具を装着した状態で壁面にハンディクリーナを立て掛けると、この立て掛けたハンディクリーナのヘッドハウジングの接地部を床面に対して浮かした状態にできる。したがって、この立て掛けたハンディクリーナのノズルヘッドが床面を滑る恐れがないため、不安定な状態での立て掛けになることがない。結果として、壁面に対してハンディクリーナを安定した状態で立て掛けておくことができる。また、この浮かした状態からスタンドプレートを反転させると、この浮かしを解消した状態にスタンドプレートを切り替えることができる。したがって、床面に対してヘッドハウジングの接地部を接地できるため、ハンディクリーナによって床面を掃除できる。
【０００９】
第２の発明は、第１の発明において、常時、スタンドプレートは、第２の状態に切り替わるように付勢されている。
【００１０】
第２の発明によれば、ハンディクリーナによって床面を掃除しているとき、スタンドプレートが床面に対して干渉することを防止できる。したがって、掃除中に床面が傷付くことを防止できる。
【００１１】
第３の発明は、第１〜第２の何れか一つの発明において、ノズルバンドまたはスタンドプレートには、スタンドプレートを第１の状態および／または第２の状態に保持するロック爪が形成されている。
【００１２】
第３の発明によれば、壁面に立て掛けたハンディクリーナのヘッドハウジングの接地部を床面に対して浮かした状態を保持できると共に、この浮かしを解消した状態を保持できる。したがって、壁面に対してハンディクリーナをより安定した状態で立て掛けておくことができると共に、ハンディクリーナによって床面を掃除しているときのスタンドプレートに生じるガタツキを防止できる。
【００１３】
第４の発明は、第１〜第３の何れか一つの発明において、スタンドプレートの先端には、スタンドプレートが側面視において略Ｌ字状を成すように突出片が形成されている。
【００１４】
第４の発明によれば、壁面に立て掛けたハンディクリーナのヘッドハウジングの接地部を床面に対して浮かした状態にするときの床面に対するスタンドプレートの接地部位をしっかり確保できる。したがって、壁面に対してハンディクリーナをよりしっかり安定した状態で立て掛けておくことができる。
【００１５】
第５の発明は、第１〜第４の何れか一つの発明において、突出片の外面には、床面に対する摩擦力を向上させる滑り止め材が施されている。
【００１６】
第５の発明によれば、壁面に対してハンディクリーナをさらに安定した状態で立て掛けておくことができる。
【００１７】
第６の発明は、第１〜第５の何れか一つの発明において、結合は、ヒンジを介した結合となっている。
【００１８】
第６の発明によれば、スタンドプレートの状態の切り替え（第１の状態と第２の状態との切り替え）をスタンドプレートの反転操作によって実施できる。したがって、この切り替えを簡便に実施できる。
【００１９】
第７の発明は、第６の発明において、ヒンジの軸の両端には、第２の状態に切り替えたスタンドプレートの縁が床面に対して干渉することを防止するローラが組み付けられている。
【００２０】
第７の発明によれば、ハンディクリーナによって床面を掃除しているとき、スタンドプレートの縁によって床面が傷つくことを防止できる。
【００２１】
第８の発明は、第１〜第７の何れか一つの発明を有するハンディクリーナにおいて、ハンディクリーナのハンディクリーナ本体には、バッテリ取付部が設けられており、バッテリ取付部には、充電可能なバッテリパックが、着脱可能に取り付けられている。
【００２２】
第８の発明によれば、バッテリパックを電源として利用することができるので、例えば、商用１００Ｖの交流電源がない屋外等においても、ハンディクリーナを使用できる。また、バッテリパックの電池残量が無くなっても、他のバッテリパックに取り換えることができるため、ハンディクリーナの長時間の使用も可能となる。
【００２３】
第９の発明は、接続管と、接続管に接続されたヘッドハウジングとを有するノズルヘッドを備えたハンディクリーナである。この接続管には、ハンディクリーナを壁面に立て掛けたとき、先端がヘッドハウジングの接地部を床面に対して浮かした第１の状態と、床面に対する接地部の浮かしを解消した第２の状態とに切り替え可能にヒンジ結合されたスタンドプレートを備えている。
【００２４】
第９の発明によれば、第１の発明と同様の作用効果を得ることができる。
【００２５】
第１０の発明は、第９の発明において、常時、スタンドプレートは、第２の状態に切り替わるように付勢されている。
【００２６】
第１０の発明によれば、第２の発明と同様の作用効果を得ることができる。
【００２７】
第１１の発明は、第９〜第１０の何れか一つの発明において、接続管またはスタンドプレートには、スタンドプレートを第１の状態および／または第２の状態に保持するロック爪が形成されている。
【００２８】
第１１の発明によれば、第３の発明と同様の作用効果を得ることができる。
【００２９】
第１２の発明は、第９〜第１１の何れか一つの発明において、スタンドプレートの先端には、スタンドプレートが側面視において略Ｌ字状を成すように突出片が形成されている。
【００３０】
第１２の発明によれば、第４の発明と同様の作用効果を得ることができる。
【００３１】
第１３の発明は、第９〜第１２の何れか一つの発明において、突出片の外面には、床面に対する摩擦力を向上させる滑り止め材が施されている。
【００３２】
第１３の発明によれば、第５の発明と同様の作用効果を得ることができる。
【００３３】
第１４の発明は、第９〜第１３の何れか一つの発明において、結合は、ヒンジを介した結合となっている。
【００３４】
第１４の発明によれば、第６の発明と同様の作用効果を得ることができる。
【００３５】
第１５の発明は、第１４の発明において、ヒンジの軸の両端には、第２の状態に切り替えたスタンドプレートの縁が床面に対して干渉することを防止するローラが組み付けられている。
【００３６】
第１５の発明によれば、第７の発明と同様の作用効果を得ることができる。
【００３７】
第１６の発明は、第９〜第１５の何れか一つの発明において、ハンディクリーナ本体には、バッテリ取付部が設けられており、バッテリ取付部には、充電可能なバッテリパックが、着脱可能に取り付けられている。
【００３８】
第１６の発明によれば、第８の発明と同様の作用効果を得ることができる。
【図面の簡単な説明】
【００３９】
【図１】実施例に係るハンディクリーナの全体側面図である。
【図２】図１のハンディクリーナに装着可能な補助具の全体斜視図である。
【図３】図２のハンディクリーナ用の補助具の正面図である。
【図４】図２のハンディクリーナ用の補助具の下面図である。
【図５】図２のハンディクリーナ用の補助具の左側面図である。
【図６】図２のハンディクリーナ用の補助具の背面図である。
【図７】図２のハンディクリーナ用の補助具の縦断面図である。
【図８】図２のハンディクリーナ用の補助具の横断面図である。
【図９】図２の補助具をハンディクリーナのノズルヘッドの接続管に装着して、スタンドプレートを第１の状態に切り替えた状態を示す斜視図である。
【図１０】図９において、ハンディクリーナを壁面に立て掛けた状態を示す図である。
【図１１】図１０の主要部の拡大図である。
【図１２】図１０において、ハンディクリーナの立て掛けの角度を緩やかにした状態を示す図である。
【図１３】図１０において、スタンドプレートを第２の状態に切り替えた状態を示す図であり、ハンディクリーナによって床面を掃除している状態を示す図である。
【図１４】図１３において、床面に対するハンディクリーナの角度を緩やかにした状態を示す図である。
【図１５】従来技術に係るハンディクリーナの全体側面図である。
【図１６】図１５において、ハンディクリーナを壁面に立て掛けた状態を示す図である。
【発明を実施するための形態】
【００４０】
次に、本発明の実施形態を図１〜１４に基づいて説明する。以下に、実施例に係るハンディクリーナ１と、補助具２とを個別に説明していく。なお、以下の説明にあたって、上、下、前、後、左、右の各方向は、上述した図に記載した、上、下、前、後、左、右の各方向、すなわち、図１に示す状態のハンディクリーナ１に向き合う使用者（図示しない）を基準にしたときの方向を示している。
【００４１】
まず、ハンディクリーナ１から説明していく（図１参照）。図１に示すように、ハンディクリーナ１は公知のものであり、駆動源としての電動モータ（図示しない）を内装したハンディクリーナ本体１０と、このハンディクリーナ本体１０の接続口１６に装着可能な延長パイプ３０と、この延長パイプ３０の先端に装着可能なノズルヘッド４０とから構成されている。
【００４２】
このハンディクリーナ本体１０は、その上側にループ状のハンドル１８を一体に備えた本体ハウジング２０を備えている。この本体ハウジング２０の上部寄りには、電動モータが内装されている。一方、この本体ハウジング２０の下部寄りには、集塵ファン（図示しない）が内装されている。この本体ハウジング２０における集塵ファン（図示しない）の下面側には、ダストパック（図示しない）が装着されている。なお、上述した接続口１６は、この本体ハウジング２０の下端部から突き出す格好となるように設けられている。
【００４３】
ハンドル１８の前面には、使用者が指先で押し操作可能な起動／停止ボタンと、強弱切り替えボタンと、照明（いずれも図示しない）とが設けられている。使用者が起動／停止ボタンを押し操作すると、電動モータが駆動して吸塵ファンが回転する構成となっている。この吸塵ファンが回転すると、接続口１６を経て埃等がダストパックに吸塵されることとなる。そして、使用者が起動／停止ボタンを再度押し操作すると、電動モータが停止して吸塵ファンが停止する構成となっている。一方、電動モータが駆動している状態で、使用者が強弱切り替えボタンを押し操作すると、電動モータの回転数が変化して吸塵力を強弱の２段階に切り替えることができる構成となっている。なお、照明は、電動モータの起動、停止に連動して点灯、消灯するように構成されている。
【００４４】
また、ハンドル１８の後部（ハンディクリーナ本体１０を床面Ｆに平置きした状態では、下方）には、バッテリ取付凹部２２が設けられている。このバッテリ取付凹部２２には、充電式のバッテリパック２４が収容可能となっている。なお、このバッテリパック２４は、バッテリ取付凹部２２に対して取り付け方向（ハンディクリーナ本体１０の長手方向において、ハンディクリーナ本体１０に近づく方向）へスライドさせることにより取り付けることができる（図１参照）。これとは逆に、このバッテリパック２４は、バッテリ取付凹部２２に対して取り外し方向（ハンディクリーナ本体１０の長手方向において、ハンディクリーナ本体１０から遠ざかる方向）へスライドさせることにより取り外すことができる。これらの記載が、特許請求の範囲に記載の「バッテリパックが、着脱可能」に相当する。また、このハンディクリーナ１は、バッテリパック２４をバッテリ取付凹部２２に収容した状態のまま、充電用アダプタ（図示しない）を接続して充電可能となっている。
【００４５】
このバッテリパック２４の縁には、例えば、ゴムシート２４ａが貼り付けられている。そのため、後述するように、ノズルヘッド４０に補助具２を装着した状態でハンディクリーナ１を壁面Ｗに立て掛けたとき、この立て掛けたハンディクリーナ１の左右方向の滑りを抑制できる。また、この本体ハウジング２０の左右の側部には、吸塵若しくは電動モータの冷却風のための排気口２６が設けられている。
【００４６】
一方、ノズルヘッド４０は、延長パイプ３０の先端に装着可能な接続管４２と、この接続管４２に接続されたヘッドハウジング４４とから構成されている。この接続は、接続管４２に対してヘッドハウジング４４が上下、左右に首ふり可能となるように（いわゆる、ボールジョイント機構（図示しない）を介して）行われている。このヘッドハウジング４４の前後には、その接地面４４ａが床面Ｆに対してスムーズに移動できるように一対の補助ローラ４４ｂがそれぞれ組み付けられている。これらハンディクリーナ本体１０と、延長パイプ３０と、ノズルヘッド４０とからハンディクリーナ１は構成されている。
【００４７】
次に、補助具２を説明する（図２〜９参照）。図２〜６に示すように、補助具２は、ノズルヘッド４０の接続管４２に装着可能なノズルバンド５０と、このノズルバンド５０に対してヒンジ結合されたスタンドプレート７０とから構成されている。このノズルバンド５０には、ノズルヘッド４０の接続管４２を挿し込み可能な挿込孔５２が形成されている。このノズルバンド５０の一方の縁（前側の縁）には、挿込孔５２に連通する切欠５４が形成されている。
【００４８】
また、このノズルバンド５０の一方の縁には、ナット５６が固着されており、この固着されたナット５６には、切欠５４を跨ぐようにネジ５８が螺合されている。そのため、このネジ５８を緩めたり締めたりすると、挿込孔５２の内径を広げたり狭めたりできる。したがって、挿込孔５２にノズルヘッド４０の接続管４２を挿し込んだり、この挿し込んだ接続管４２を挿込孔５２に保持できる（図９参照）。すなわち、ノズルヘッド４０の接続管４２にノズルバンド５０を装着できる。結果として、ノズルヘッド４０に補助具２を装着できる。
【００４９】
また、このノズルバンド５０の他方の縁（後側の縁）には、後述するスタンドプレート７０を取り付け可能な取付部６０が形成されている。この取付部６０には、後述するヒンジピン７６を挿し込み可能な取付孔６０ａが形成されている。また、このノズルバンド５０の他方の縁の上下には、ロック爪６２がそれぞれ対を成すように形成されている（図７参照）。ノズルバンド５０は、このように構成されている。
【００５０】
一方、スタンドプレート７０の先端には、スタンドプレート７０が側面視において略Ｌ字状を成すように突出片７２が形成されている。この突出片７２の外面には、床面Ｗに対する摩擦力を向上させるゴムシート７２ａが貼り付けられている。この記載が、特許請求の範囲に記載の「滑り止め材」に相当する。また、スタンドプレート７０の基端の両縁には、上述したノズルバンド５０の取付部６０の両縁を挟み込み可能な一対の被取付部７４が形成されている。
【００５１】
この一対の被取付部７４にも、上述したヒンジピン７６を挿し込み可能な取付孔７４ａが形成されている。また、このスタンドプレート７０の基端には、上述したノズルバンド５０の上下のロック爪６２にロック可能なロック体７８が形成されている。スタンドプレート７０は、このように構成されている。
【００５２】
このように構成されているスタンドプレート７０の取付孔７４ａとノズルバンド５０の取付孔６０ａとにヒンジピン７６を挿し込むことで補助具２が組み立てられている。このように組み立てられていると、ノズルバンド５０に対してヒンジピン７６の軸回りに約１８０°の範囲でスタンドプレート７０を回転（反転）させることができる。この回転範囲の両端において、上述したロック爪６２はロック体７８をロックさせることができるように構成されている。
【００５３】
そのため、ノズルバンド５０に対してスタンドプレート７０が上を向いた状態にロックできると共に、ノズルバンド５０に対してスタンドプレート７０が下を向いた状態にもロックできる。なお、このノズルバンド５０とスタンドプレート７０との間には、ヒンジピン７６に挿し込まれる格好でトーションばね８０が掛け留めされている（図８参照）。
【００５４】
そのため、このトーションばね８０の付勢力によって、常時、スタンドプレート７０は上向きの状態となっている。また、このヒンジピン７６の両端には、ローラ８２がそれぞれ組み付けられている。このローラ８２は、スタンドプレート７０を後述する第２の状態に切り替えたとき、この切り替えたスタンドプレート７０が床面Ｆに対して干渉することがないように設定されている。なお、組み付けられたローラ８２がヒンジピン７６から抜け落ちることがないようにワッシャ８４によって抜け止めが施されている。補助具２は、このように構成されている。
【００５５】
続いて、図９〜１４を参照して、上述した補助具２の動作を説明する。この動作の説明にあたって、壁面Ｗに対してハンディクリーナ１を立て掛ける動作と、ハンディクリーナ１によって床面Ｆを掃除する動作とを個別に説明することとする。
【００５６】
まず、壁面Ｗに対してハンディクリーナ１を立て掛ける動作から説明する。はじめに、上述したように、ノズルヘッド４０に補助具２を装着する第１の作業を行う（図９参照）。次に、装着した補助具２のスタンドプレート７０をトーションばね８０の付勢力に抗して下向きに切り替える第２の作業を行う。これにより、このスタンドプレート７０の略Ｌ字の内角部７０ａがノズルヘッド４０のヘッドハウジング４４の接地面４４ａと後面４４ｃとの外角部４４ｄを覆うこととなる。
【００５７】
次に、下側のロック爪６２に対してロック体７８をロックさせる第３の作業を行う。このロックを、説明の便宜上、「第１のロック」と記すこととする。これにより、このノズルヘッド４０の外角部４４ｄに対するスタンドプレート７０の内角部７０ａの覆いが保持されることとなる。そのため、ハンディクリーナ１を壁面Ｗに立て掛けたとき、補助具２のスタンドプレート７０の突出片７２が床面Ｗに対して接地することとなる（図１０〜１１参照）。
【００５８】
すなわち、この立て掛けたハンディクリーナ１のノズルヘッド４０の後側の補助ローラ４４ｂを床面Ｆに対して浮かした状態（特許請求の範囲における「第１の状態」）に保持させることができる。したがって、この立て掛けたハンディクリーナ１のノズルヘッド４０が床面Ｆを滑る恐れがないため、不安定な状態での立て掛けになることがない。結果として、壁面Ｗに対してハンディクリーナ１を安定した状態で立て掛けておくことができる。なお、図１２に示すように、このハンディクリーナ１の立て掛けの角度を緩やかにもできる。
【００５９】
次に、ハンディクリーナ１によって床面Ｆを掃除する動作を説明する。はじめに、上述した第１のロックをロック解除する第４の作業を行う。すると、このロックが解除されたスタンドプレート７０がトーションばね８０の復元力によってヒンジピン７６の軸回りに反転（約１８０°回転）する。そのため、このスタンドプレート７０が上向きに切り替わる。これにより、ノズルヘッド４０の外角部４４ｄに対するスタンドプレート７０の内角部７０ａの覆いが解消されることとなる。なお、この第４の作業は、作業者がしゃがみこんで行う必要なく、壁面Ｗに対して立て掛けているハンディクリーナ１のハンドル１８を握り、この握った状態のまま、ハンディクリーナ１を前側に移動させて床面Ｆに対するゴムシート７２ａの摩擦力で行ってもよい。
【００６０】
次に、上側のロック爪６２に対してロック体７８をロックさせる第５の作業を行う。このロックを、説明の便宜上、「第２のロック」と記すこととする。これにより、このノズルヘッド４０の外角部４４ｄに対するスタンドプレート７０の内角部７０ａの覆いの解消が保持されることとなる。すなわち、床面Ｆに対するハンディクリーナ１のノズルヘッド４０の後側の補助ローラ４４ｂの浮かしを解消した状態（特許請求の範囲における「第２の状態」）に保持させることができる（図１３参照）。したがって、床面Ｆに対してこの補助ローラ４４ｂを接地できるため、ハンディクリーナ１によって床面Ｆを掃除できる。なお、図１４に示すように、床面Ｆに対するハンディクリーナ１の角度を緩やかにもできる。
【００６１】
本発明の実施例に係る補助具２は、上述したように構成されている。この構成によれば、ノズルヘッド４０の接続管４２に補助具２のノズルバンド５０を装着することで、ノズルヘッド４０に補助具２を装着できる。そして、この補助具２を装着した状態で壁面Ｗにハンディクリーナ１を立て掛けると、この立て掛けたハンディクリーナ１のノズルヘッド４０の後側の補助ローラ４４ｂを床面Ｆに対して浮かした状態にできる。したがって、この立て掛けたハンディクリーナ１のノズルヘッド４０が床面Ｆを滑る恐れがないため、不安定な状態での立て掛けになることがない。結果として、壁面Ｗに対してハンディクリーナ１を安定した状態で立て掛けておくことができる。また、この浮かした状態からスタンドプレート７０を切り替えると（反転させると）、この浮かしを解消した状態にスタンドプレート７０を切り替えることができる。したがって、床面Ｆに対して補助ローラ４４ｂを接地できるため、ハンディクリーナ１によって床面Ｆを掃除できる。
【００６２】
また、この構成によれば、トーションばね８０の付勢力によって、常時、スタンドプレート７０は、床面Ｆに対する後側の補助ローラ４４ｂの浮かしを解消した状態となっている。そのため、ハンディクリーナ１によって床面Ｆを掃除しているとき、スタンドプレート７０が床面Ｆに対して干渉することを防止できる。したがって、掃除中に床面Ｆが傷付くことを防止できる。
【００６３】
また、この構成によれば、ノズルバンド５０の他方の縁の上下には、ロック爪６２がそれぞれ対を成すように形成されている。そのため、壁面Ｗに立て掛けたハンディクリーナ１のノズルヘッド４０の後側の補助ローラ４４ｂを床面Ｆに対して浮かした状態を保持できると共に、この浮かしを解消した状態を保持できる。したがって、壁面Ｗに対してハンディクリーナ１をより安定した状態で立て掛けておくことができると共に、ハンディクリーナ１によって床面Ｆを掃除しているときのスタンドプレート７０に生じるガタツキを防止できる。
【００６４】
また、この構成によれば、スタンドプレート７０の先端には、スタンドプレート７０が側面視において略Ｌ字状を成すように突出片７２が形成されている。そのため、壁面Ｗに立て掛けたハンディクリーナ１のノズルヘッド４０の後側の補助ローラ４４ｂを床面Ｆに対して浮かした状態にするときの床面Ｆに対するスタンドプレート７０の接地部位をしっかり確保できる。したがって、壁面Ｗに対してハンディクリーナ１をよりしっかり安定した状態で立て掛けておくことができる。
【００６５】
また、この構成によれば、この突出片７２の外面には、床面Ｗに対する摩擦力を向上させるゴムシート７２ａが貼り付けられている。そのため、壁面Ｗに対してハンディクリーナ１をさらに安定した状態で立て掛けておくことができる。
【００６６】
また、この構成によれば、ノズルバンド５０に対するスタンドプレート７０の結合は、ヒンジピン７６を介した結合となっている。そのため、スタンドプレート７０の状態の切り替え（第１の状態と第２の状態との切り替え）をスタンドプレート７０の反転操作によって実施できる。したがって、この切り替えを簡便に実施できる。
【００６７】
また、この構成によれば、ヒンジピン７６の両端には、ローラ８２がそれぞれ組み付けられている。このローラ８２は、スタンドプレート７０を床面Ｆに対する補助ローラ４４ｂの浮かしを解消した状態に切り替えたとき、この切り替えたスタンドプレート７０が床面Ｆに対して干渉することがないように設定されている。そのため、ハンディクリーナ１によって床面Ｆを掃除しているとき、スタンドプレート７０の縁によって床面Ｆが傷つくことを防止できる。
【００６８】
また、この構成によれば、ハンディクリーナ１のハンディクリーナ本体１０には、バッテリ取付凹部２２が設けられている。バッテリ取付凹部２２には、充電可能なバッテリパック２４が取り付けられている。そのため、バッテリパック２４を電源として利用することができるので、例えば、商用１００Ｖの交流電源がない屋外等においても、ハンディクリーナ１を使用できる。また、バッテリパック２４の電池残量が無くなっても、他のバッテリパック２４に取り換えることができるため、ハンディクリーナ１の長時間の使用も可能となる。
【００６９】
上述した内容は、あくまでも本発明の一実施の形態に関するものであって、本発明が上記内容に限定されることを意味するものではない。
【００７０】
実施例では、ハンディクリーナ１のノズルヘッド４０に補助具２を装着した状態で壁面Ｗに対してハンディクリーナ１を安定した状態で立て掛けておくことができる形態を説明した。しかし、これに限定されるものでなく、ノズルヘッド４０に補助具２を装着することなく壁面Ｗに対してハンディクリーナ１を安定した状態で立て掛けておくことができる形態でも構わない。その場合、ハンディクリーナ１のノズルヘッド４０に補助具２が備えられることとなる。具体的には、予め、補助具２のノズルバンド５０がノズルヘッド４０の接続管４２に装着された状態（ノズルヘッド４０の接続管４２に補助具２のスタンドプレート７０がヒンジ結合された状態）となっている。その場合のハンディクリーナ１でも、上述した補助具２の説明と同様の作用効果を得ることができる。
【００７１】
また、実施例では、「ヘッドハウジングの接地部」が「ヘッドハウジング４４の後側の補助ローラ４４ｂ」である形態を説明した。しかし、これに限定されるものでなく、「ヘッドハウジングの接地部」が「ヘッドハウジング４４の接地面４４ａ」であっても構わない。すなわち、壁面Ｗに対してハンディクリーナ１を立て掛けたときの床面Ｆに対するヘッドハウジング４４の接地部位であれば、どこであっても構わない。
【００７２】
また、実施例では、ロック爪６２は、ノズルバンド５０の他方の縁の上下にそれぞれ対を成すように形成されている形態を説明した。すなわち、ロック爪６２は、ノズルバンド５０側に形成されている形態を説明した。しかし、これに限定されるものでなく、ロック爪６２は、スタンドプレート７０側に形成されていても構わない。また、ロック爪６２は、ノズルバンド５０の他方の縁の上または下にそれぞれ対を成すように形成されている形態でも構わない。このことは、ロック爪６２をスタンドプレート７０側に形成した場合も同じである。
【００７３】
また、実施例では、「滑り止め材」が「ゴムシート７２ａ」である形態を説明した。しかし、これに限定されるものでなく、「滑り止め材」が「エラストマのシート」等であっても構わない。すなわち、壁面Ｗに対してハンディクリーナ１をさらに安定した状態で立て掛けておくことができる部材であれば、どのような部材であっても構わない。
【００７４】
また、実施例では、ノズルバンド５０に対するスタンドプレート７０の結合の例として、ヒンジ結合である形態を説明した。しかし、これに限定されるものでなく、スライド結合であっても構わない。その場合、ノズルバンド５０に対してスタンドプレート７０がスライド可能な構成となっている。このことは、ハンディクリーナ１のノズルヘッド４０に補助具２が備えられる形態であっても同様である。
【符号の説明】
【００７５】
１      ハンディクリーナ
２      補助具
１０    ハンディクリーナ本体
１６    接続口
１８    ハンドル
２０    本体ハウジング
２２    バッテリ取付凹部
２４    バッテリパック
２４ａ  ゴムシート
２６    排気口
３０    延長パイプ
４０    ノズルヘッド
４２    接続管
４４    ヘッドハウジング
４４ａ  接地面（接地部）
４４ｂ  補助ローラ
４４ｃ  後面
４４ｄ  外角部
５０    ノズルバンド
５２    挿込孔
５４    切欠
５６    ナット
５８    ネジ
６０    取付部
６０ａ  取付孔
６２    ロック爪
７０    スタンドプレート
７０ａ  内角部
７２    突出片
７２ａ  ゴムシート
７４    被取付部
７４ａ  取付孔
７６    ヒンジピン
７８    ロック体
８０    トーションばね
８２    ローラ
８４    ワッシャ
Ｗ      壁面
Ｆ      床面
【図１】
2018102846.tif 000003
【図２】
2018102846.tif 000004
【図３】
2018102846.tif 000005
【図４】
2018102846.tif 000006
【図５】
2018102846.tif 000007
【図６】
2018102846.tif 000008
【図７】
2018102846.tif 000009
【図８】
2018102846.tif 000010
【図９】
2018102846.tif 000011
【図１０】
2018102846.tif 000012
【図１１】
2018102846.tif 000013
【図１２】
2018102846.tif 000014
【図１３】
2018102846.tif 000015
【図１４】
2018102846.tif 000016
【図１５】
2018102846.tif 000017
【図１６】
2018102846.tif 000018